(57)【要約】【課題】表示素子を複数枚積層したとしてもフィルム基板をたわませること。【解決手段】液晶表示素子は、二つの基板と、二つの基板間に形成された液晶層とを有する第一の層を備える。また、液晶表示素子は、第一の層に積層された層であって、二つの基板と、二つの基板間に形成された液晶層とを有し、二つの基板のうち第一の層に対向する基板の一部が第一の層の基板と接着されることで、第一の層に積層された第二の層を有する。また、液晶表示素子では、第一の層及び第二の層の液晶層は、周辺部の厚さが中心部の厚さよりも厚い。また、液晶表示素子では、第一の層及び第二の層の液晶層は、二つの基板間の間隔を一定に維持する複数のスペーサを有し、液晶層の周辺部におけるスペーサの密度が中心部におけるスペーサの密度よりも低い。【選択図】図１
2011128353.tif 000002
【特許請求の範囲】
【請求項１】
二つの基板と、該二つの基板間に形成された液晶層とを有する第一の層と、
二つの基板と、該二つの基板間に形成された液晶層とを有し、該二つの基板のうち前記第一の層に対向する基板の一部が該第一の層の基板と接着されることで、該第一の層に積層された第二の層と
を備えたことを特徴とする液晶表示素子。
【請求項２】
前記第一の層及び前記第二の層の液晶層は、周辺部の厚さが中心部の厚さよりも厚いことを特徴とする請求項１に記載の液晶表示素子。
【請求項３】
前記第一の層及び前記第二の層の液晶層は、該二つの基板間の間隔を一定に維持する複数のスペーサを有し、該液晶層の周辺部における該スペーサの密度が中心部における該スペーサの密度よりも低いことを特徴とする請求項２に記載の液晶表示素子。
【請求項４】
前記第二の層の第一の層に対向する基板、及び／または、前記第一の層の第二の基板に対向する基板のうち１〜５％が接着されていないことを特徴とする請求項３に記載の液晶表示素子。
【請求項５】
二つの基板と、該二つの基板間に形成された液晶層とを有する第一の層と、
前記第一の層に積層された層であって、二つの基板と、該二つの基板間に形成された液晶層とを有し、該二つの基板のうち該第一の層に対向する基板の一部が該第一の層の基板と接着されることで、該第一の層に積層された第二の層とを有する液晶表示素子と、
前記液晶表示素子の液晶層を形成する液晶分子の配向状態を制御する制御回路と
を備えたことを特徴とする液晶表示素子を有する液晶モジュール。
【発明の詳細な説明】
【技術分野】
【０００１】
本発明は、複数のフィルム表示素子を積層した表示素子、特に赤、緑、青の３色の表示素子を積層したカラー表示素子及び表示モジュールに関する。
【背景技術】
【０００２】
２つのフィルム基板間に液晶層を有する表示素子がある。表示素子は、例えば、電子ペーパーなどの表示装置の表示部に用いられる。フィルム基板を用いた表示素子は、樹脂構造体などで２つのフィルム基板を接着することで、２つのフィルム基板間の距離（セルギャップとも称する）を一定に保持する。液晶層は、例えば、２つのフィルム基板間の空間（セルとも称する）に液晶分子が封入されることで形成される。
【０００３】
液晶分子の熱膨張率は、フィルム基板や樹脂構造体などの熱膨張率と比べて大きく、液晶層を形成する液晶分子の体積（液晶体積とも称する）とセルの容積との比率が温度変化により変化する。例えば、表示素子の温度が低い場合には、液晶体積はセルの容積よりも小さくなり、液晶層に気泡が発生する。また、例えば、表示素子の温度が高い場合には、液晶体積はセルの容積よりも大きくなり、樹脂構造体がフィルム基板からはく離する。
【０００４】
ここで、気泡の発生や樹脂構造体のはく離は、表示素子の性能を劣化させる。気泡の発生を低減することを目的として、表示素子のうち、表示部として用いられる部分以外の部分である周辺部について、セルギャップを予め厚くした表示素子が知られている。周辺部のセルギャップを予め厚くした表示素子では、液晶体積が小さくなると、周辺部のセルの厚さが樹脂構造体の大きさまで小さくなる。つまり、周辺部のセルギャップを予め厚くした表示素子では、液晶体積の減少に追随して周辺部の基板が狭まる方向にたわむことで、液晶体積とセルの容積との差を緩和し、気泡の発生を低減する。
【０００５】
なお、長方形の平板のたわみは、短辺の長さの４乗に比例し、板厚の３乗に反比例する。つまり、フィルム基板は、フィルム基板の長さが長くなればなるほどたわみ易くなり、フィルム基板の板厚が大きくなればなるほどたわみ難くなる。
【０００６】
なお、選択反射性を有するコレステリック液晶などを用いた表示装置では、表示素子を複数枚積層したカラー表示装置が知られている。また、フィルム基板を用いることで、フレキシブルな表示素子を実現できる。
【先行技術文献】
【特許文献】
【０００７】
【特許文献１】特開昭６３−６４０２１号公報
【発明の概要】
【発明が解決しようとする課題】
【０００８】
しかしながら、周辺部のセルギャップを予め厚くした表示素子では、表示素子を複数枚積層すると、基板がたわみ難いという課題があった。すなわち、表示素子を複数積層した液晶表示素子では、フィルム基板に他の表示素子が積層されることでフィルム基板の板厚が大きくなり、たわみ難くなっていた。例えば、表示素子を３枚積層した場合を用いて説明する。この場合、２層目の表示素子のフィルム基板の板厚は、２層目のフィルム基板の厚みに加えて、１層目の表示素子や３層目の表示素子の厚みが加わった値になる。
【０００９】
この結果、周辺部のセルギャップを予め厚くした表示素子では、表示素子を複数枚積層するとフィルム基板がたわみ難くなり、低温時には気泡が発生し、高温時には樹脂構造体がはく離していた。つまり、周辺部の液晶層を厚くした表示素子では、液晶体積とセルの容積との差を緩和できなかった。
【００１０】
開示の技術は、上記に鑑みてなされたものであって、表示素子を複数枚積層したとしてもフィルム基板をたわませることが可能である液晶表示素子及び液晶モジュールを提供することを目的とする。
【課題を解決するための手段】
【００１１】
開示する液晶表示素子は、一つの態様において、２つの基板と、該２つの基板間に形成された液晶層とを有する第一の層を備える。また、液晶表示素子は、前記第一の層に積層された層であって、２つの基板と、該２つの基板間に形成された液晶層とを有し、該２つの基板のうち該第一の層に対向する基板の一部が該第一の層の基板と接着されることで、該第一の層に積層された第二の層を有する。
【発明の効果】
【００１２】
開示する液晶表示素子及び液晶モジュールの一つの態様によれば、表示素子を複数枚積層したとしてもフィルム基板をたわませることが可能であるという効果を奏する。
【図面の簡単な説明】
【００１３】
【図１】図１は、実施例１に係る液晶表示素子の断面構成の一例について説明するブロック図である。
【図２】図２は、実施例２に係る液晶表示素子の全体像について簡単に説明する図である。
【図３Ａ】図３Ａは、実施例２における非表示領域の位置について説明する図である。
【図３Ｂ】図３Ｂは、実施例２における非表示領域の位置について説明する図である。
【図３Ｃ】図３Ｃは、実施例２における非表示領域の位置について説明する図である。
【図３Ｄ】図３Ｄは、実施例２における非表示領域の位置について説明する図である。
【図４】図４は、実施例２に係る液晶表示素子の断面構成の一例について説明する図である。
【図５】図５は、実施例２における表示領域や非表示領域の積層関係について説明する図である。
【図６】図６は、実施例２における表示素子の断面構造の一例について詳細に説明する図である。
【図７】図７は、実施例２における表示素子の断面構造の一例について詳細に説明する図である。
【図８Ａ】図８Ａは、実施例２における液晶層の厚さについて説明する図である。
【図８Ｂ】図８Ｂは、実施例２における液晶層の厚さについて説明する図である。
【図９】図９は、実施例２における表示素子の積層状態について説明する図である。
【図１０】図１０は、表示素子を形成する各部の熱膨張係数の一例について説明する図である。
【図１１】図１１は、液晶体積と液晶層の体積と表示素子の温度との関係について説明する図である。
【図１２】図１２は、液晶層の内圧と非表示領域の面積との関係について説明する図である。
【図１３】図１３は、実施例２に係る液晶表示素子の製造工程について説明するフローチャートである。
【図１４】図１４は、実施例２に係る液晶表示素子の製造工程のうち、表示素子を積層する工程について説明する図である。
【図１５】図１５は、実施例３における表示素子の積層関係の一例について説明する図である。
【図１６】図１６は、実施例３における表示素子の積層関係の一例について説明する図である。
【図１７】図１７は、実施例３における表示素子の積層関係の一例について説明する図である。
【発明を実施するための形態】
【００１４】
以下に、開示する液晶表示素子及び液晶モジュールの実施例を図面に基づいて詳細に説明する。なお、開示する液晶表示素子及び液晶モジュールは、本実施例により限定されるものではない。各実施例は、処理内容を矛盾させない範囲で適宜組み合わせることが可能である。
【実施例１】
【００１５】
図１を用いて、実施例１に係る液晶表示素子１００の断面構成の一例について説明する。図１は、実施例１に係る液晶表示素子の断面構成の一例について説明するブロック図である。液晶表示素子１００は、図１に示す例では、第一の層１１０と、第二の層１２０とを有する。
【００１６】
第一の層１１０は、基板１１１及び１１２と、基板１１１と１１２との間に形成された液晶層１１３とを有する。第二の層１２０は、第一の層１１０に積層される。また、第二の層１２０は、基板１２１及び１２２と、基板１２１と１２２との間に形成された液晶層１２３とを有する。ここで、第二の層１２０は、第一の層１１０に対向する基板１２１の一部が基板１１２と接着されることで、第一の層１１０に積層される。
【００１７】
このように、実施例１によれば、表示素子を複数積層する場合に、基板の一部を他の層の基板と接着するので、他の基板と接着されない部分の基板をたわませることが可能である。この結果、実施例１によれば、基板間に液晶層を有する層を複数積層したとしても、基板をたわませることができる。
【００１８】
すなわち、複数の表示素子を積層する際に、基板全面を接着した場合には、基板の全面において板厚が大きくなり、基板全面がたわみ難くなる。これに対して、実施例１によれば、基板のうち一部が接着されないので、接着されない部分については基板１枚分の板厚に留まる。この結果、実施例１によれば、液晶層を形成する液晶分子の体積（液晶体積とも称する）が変化すると、他の基板と接着されない部分の基板がたわみ、液晶体積とセルの容積との差を緩和することが可能である。つまり、例えば、実施例１によれば、気泡発生を防止することが可能であり、樹脂構造体のはく離を防止することが可能である。
【実施例２】
【００１９】
［実施例２の液晶表示素子］
次に、実施例２に係る液晶表示素子２００について説明する。液晶表示素子２００は、例えば、液晶テレビや液晶モニタ、電子ペーパーなどの表示装置の表示部に用いられる。以下では、基板間に液晶層を有する層を「表示素子」と記載する。また、基板のうち、他の表示素子の基板と接着された部分を「接着部分」と記載し、他の表示素子の基板と接着されていない部分を「非接着部分」と記載する。
【００２０】
まず、図２を用いて、実施例２に係る液晶表示素子２００の全体像について簡単に説明する。図２は、実施例２に係る液晶表示素子の全体像について簡単に説明する図である。液晶表示素子２００は、表示領域２０１と非表示領域２０２とを有する。表示領域２０１は、表示装置の表示部になり、非表示領域２０２が、表示部の余白になる。つまり、表示領域２０１は、文字や画像、映像などの映像情報を表示する。一方、非表示領域２０２は、文字や画像、映像情報を表示しない。
【００２１】
なお、以下では、特に言及しない限り、非表示領域２０２が映像情報を表示しない場合を例に説明する。また、以下では、特に言及しない限り、図２に示すように、非表示領域２０２が液晶表示素子２００の左辺に位置する場合を例に説明する。しかしながら、本発明はこれに限定されるものではなく、非表示領域２０２は、任意の位置に位置して良い。図３Ａ〜図３Ｄを用いて、非表示領域２０２の位置について説明する。図３Ａ〜図３Ｄは、実施例２における非表示領域の位置について説明する図である。
【００２２】
例えば、図３Ａに示すように、非表示領域２０２は、液晶表示素子２００の左辺以外の任意の辺に位置しても良い。図３Ａに示す例では、非表示領域２０２は、右辺に位置する。また、図３Ｂや図３Ｃに示すように、非表示領域２０２は、複数の辺に位置しても良い。図３Ｂに示す例では、非表示領域２０２は、左辺と上辺とに位置する。図３Ｃに示す例では、非表示領域２０２は、すべての辺に位置する。また、非表示領域２０２は、複数に分割して位置しても良い。図３Ｄに示す例では、非表示領域２０２は、左辺と右辺とに分割して位置する。また、例えば、図３Ａ〜図３Ｄに示す例では、表示領域２０１と非表示領域２０２との境界が直線である場合を例に示したが、本発明はこれに限定されるものではなく、任意の形状で良い。例えば、波線であっても良く、弧を描いても良い。
【００２３】
次に、図４を用いて、実施例２に係る液晶表示素子２００の断面構成の一例について説明する。図４は、実施例２に係る液晶表示素子の断面構成の一例について説明する図である。以下では、液晶表示素子２００は、図２の上方から利用者によって視認される場合を例に説明する。
【００２４】
なお、以下では、特に言及しない限り、液晶表示素子２００が表示素子を３つ積層されたものである場合を例に説明するが、本発明はこれに限定されるものではない。例えば、液晶表示素子２００は、２つの表示素子が積層されたものであっても良く、４つ以上の表示素子が積層されたものであっても良く、任意の数の表示素子が積層されても良い。
【００２５】
液晶表示素子２００は、図４に示す例では、第一の表示素子２１０と、第二の表示素子２２０と、第三の表示素子２３０とを有する。ここで、第二の表示素子２２０は、第一の表示素子２１０に積層され、第三の表示素子２３０は、第二の表示素子２２０に積層される。
【００２６】
以下では、特に言及しない限り、図５に示すように、各表示素子の表示領域が重なった状態で積層され、また、各表示素子の非表示領域が重なった状態で積層される場合を例に説明する。図５は、実施例２における表示領域や非表示領域の積層関係について説明する図である。
【００２７】
図５では、第一の表示素子２１０と、第二の表示素子２２０と、第三の表示素子２３０とを示した。また、図５の「２１１」と「２１２」とは、それぞれ、第一の表示素子２１０の表示領域と非表示領域とを示す。また、図５の「２２１」と「２２２」とは、それぞれ、第二の表示素子２２０の表示領域と非表示領域とを示す。図５の「２３１」と「２３２」とは、それぞれ、第三の表示素子２３０の表示領域と非表示領域とを示す。
【００２８】
図５に示すように、表示領域２２１は、表示領域２１１に積層され、非表示領域２２２は、非表示領域２１２に積層される。また、表示領域２３１は、表示領域２２１に積層され、非表示領域２３２は、非表示領域２２２に積層される。
【００２９】
図４の説明に戻る。各表示素子は、２つの基板と、２つの基板間に形成された液晶層とを有する。図に示す例では、第一の表示素子２１０は、基板２１３と、基板２１４とを有する。また、第一の表示素子２１０は、基板２１３と基板２１４との間に液晶層２１５を有する。同様に、第二の表示素子２２０は、基板２２３と、基板２２４と、液晶層２２５とを有する。第三の表示素子２３０は、基板２３３と、基板２３４と、液晶層２３５とを有する。また、図４には示していないが、基板２１３は、液晶層２１５に接する面とは逆の面に、可視光を吸収する可視光吸収層を有する。
【００３０】
各液晶層は、液晶分子から形成される。また、各液晶層は、例えば、液晶分子が配向することで、特定の波長を反射するプレーナ状態や、光を透過するフォーカルコニック状態になる。例えば、液晶層２１５は、プレーナ状態において、赤色の光を反射する。また、例えば、液晶層２２５は、プレーナ状態において、緑色の光を反射する。また、例えば、液晶層２３５は、プレーナ状態において、青色の光を反射する。
【００３１】
つまり、液晶表示素子２００は、液晶層２１５の配向状態を制御し、液晶層２２５の配向状態を制御し、液晶層２３５の配向状態を制御する。この結果、液晶表示素子２００は、赤色の光と緑色の光と青色の光とのうち、任意の組み合わせの光を反射する。つまり、液晶表示素子２００は、任意の光を組み合わせることで生成される光を反射する。なお、液晶表示素子２００は、液晶層２１５と液晶層２２５と液晶層２３５とのすべてがフォーカルコニック状態になる場合には、基板２１３の可視光吸収層は、可視光をすべて吸収する。この結果、液晶表示素子２００は、「黒色」を示す。
【００３２】
図６や図７を用いて、実施例２における表示素子の断面構造の一例について詳細について説明する。図６と図７とは、実施例２における表示素子の断面構造の一例について詳細に説明する図である。以下では、説明の便宜上、第一の表示素子２１０を例に用いて説明する。第二の表示素子２２０や第三の表示素子２３０の断面構成は、第一の表示素子２１０の断面構成と同様であり、説明を省略する。
【００３３】
図６に示すように、第一の表示素子２１０は、基板２１３と、基板２１４と、液晶層２１５とを有する。また、第一の表示素子２１０は、２つの基板間の間隔を一定に維持する複数の樹脂構造体２５１と、周辺シール剤２５２とを有する。各樹脂構造体２５１は、基板２１３と基板２１４とに接着されることで、２つの基板間の間隔を一定に維持する。以下では、２つの基板間の距離を「セルギャップ」と記載する。
【００３４】
例えば、樹脂構造体２５１は、アクリル系感光性樹脂等をリソグラフィー等の公知の手法によってパターンニングすることで、柱状に形成される。また、図７に示すように、樹脂構造体２５１の形状は、柱状に限定されるものではなく、球状であっても良く、任意の形状であって良い。また、図６や図７に示す例では、第一の表示素子２１０は、同じ形状の樹脂構造体２５１を有する場合を例に示したが、本発明はこれに限定されるものではなく、複数の異なる形状の樹脂構造体２５１を有しても良い。また、例えば、第一の表示素子２１０は、柱状の樹脂構造体２５１と、所謂、球状樹脂スペーサ、ガラスロッドスペーサなどを併用しても良い。
【００３５】
樹脂構造体２５１は、第一の表示素子２１０の面積に対して２〜３０％ある。より詳細には、樹脂構造体２５１は、第一の表示素子２１０の面積に対する比率が低すぎると密着強度が低下し、逆に高すぎると明るさが低下するため、５〜１５％であることが望ましい。また、セルギャップｄは、狭すぎると明るさが低下し、広すぎると駆動電圧が高くなるなどの問題があるため、３μｍ≦ｄ≦１０μｍの範囲であることが好ましい。なお、樹脂構造体２５１やセルギャップの値の範囲は、上述した範囲に限定されるものではなく、任意の範囲であって良い。
【００３６】
また、樹脂構造体２５１は、液晶層２１５の周辺部よりも中心部に多くある。言い換えると、液晶層２１５の周辺部における樹脂構造体２５１の密度は、液晶層２１５の中心部における樹脂構造体２５１の密度よりも低い。より詳細には、液晶層２１５は、非表示領域２１２に対応する部分に、表示領域２１１に対応する部分と比較して少ない数の樹脂構造体２５１を有する。
【００３７】
このように、周辺部における樹脂構造体の密度を低く設定することで、非表示領域２１２の基板をたわみやすくすることが可能である。すなわち、樹脂構造体２５１は、２つの基板の両方に接着する。２つの基板は、樹脂構造体２５１の数が多ければ多いほど、より多くの箇所にて接着し、樹脂構造体２５１の数が少なければ少ないほど、より少ない箇所にて接着する。この結果、樹脂構造体２５１の数が少なければ少ないほど、２つの基板を接着した部分が少なくなり、基板はたわみやすくなる。実施例２によれば、液晶層２１５は、表示領域２１１に対応する部分と比較して、非表示領域２１２に対応する部分に少ない樹脂構造体２５１を有するので、表示領域２１１の基板と比較して非表示領域２１２の基板をたわみやすくすることが可能である。
【００３８】
なお、以下では、液晶層２１５が、表示領域２１１に対応する部分と比較して、非表示領域２１２に対応する部分に少ない樹脂構造体２５１を有する場合を例に説明するが、本発明はこれに限定されるものではない。例えば、第一の表示素子２１０は、表示領域２１１に対応する部分と比較して、非表示領域２１２に対応する部分に、同程度の樹脂構造体２５１を有しても良い。また、液晶層２１５は、非表示領域２１２に対応する部分に、樹脂構造体２５１を有しなくても良い。
【００３９】
図６や図７の説明に戻る。周辺シール剤２５２は、２つの基板の周囲に塗布されることで、液晶層２１５の漏れを防止する。言い換えると、液晶層２１５は、基板２１３と基板２１４と周辺シール剤２５２とによって囲まれた空間に封入される。
【００４０】
図４の説明に戻る。各基板や各液晶層について簡単に説明する。まず、各基板について簡単に説明する。各基板は、例えば、ポリカーボネート（ＰＣ）やポリエチレンテレフタレート（ＰＥＴ）、ポリエチレンナフタレート（ＰＥＮ）などのフィルム基板が該当する。また、各基板は、透光性を有する。なお、以下では、特に言及しない限り、すべての基板が透光性を有する場合を例に説明するが、本発明はこれに限定されるものではなく、最下層に配置される基板２１３については透光性を有さなくても良い。
【００４１】
また、各表示素子が有する２つの基板のうち一方の基板は、液晶層側の面に、ストライプ状で並列したデータ電極を有する。また、表示素子が有する２つの基板のうち他方の基板は、液晶層側の面に、データ電極と直交するストライプ状で並列した走査電極を有する。例えば、図４に示す例では、基板２１４と基板２２４と基板２３４とは、データ電極を有し、基板２１３と基板２２３と基板２３３とは、走査電極を有する。
【００４２】
例えば、各基板は、インジウム錫酸化物（Ｉｎｄｉｕｍ  Ｔｉｎ  Ｏｘｉｄｅ；  ＩＴＯ）からなる透明電極を用いて、走査電極やデータ電極が形成される。なお、走査電極やデータ電極の材料は、ＩＴＯに限定されるものではなく、任意の材料を用いて良い。例えば、走査電極やデータ電極の材料は、インジウム亜鉛酸化物（Ｉｎｄｉｕｍ  Ｚｉｎｃ  Ｏｘｉｄｅ；  ＩＺＯ）などの透明導電膜や、アモルファスシリコン等の光導電性膜等であっても良い。
【００４３】
また、各基板は、電極上に、絶縁性薄膜や液晶分子の配向安定化膜などがコーティングされても良い。例えば、電極上に絶縁性薄膜をコーティングすることで、電極間の短絡を防止したり、ガスバリア層として液晶表示素子の信頼性を向上させたりすることが可能である。また、電極上に配向安定化膜をコーティングすることで、液晶層２１５を形成する液晶分子の配向を安定させることが可能である。例えば、配向安定化膜の材料としては、ポリイミド樹脂やアクリル樹脂などが用いられる。なお、各基板は、電極上に、配向安定化膜と絶縁性薄膜との両方の性質を備えた膜をコーティングしても良い。
【００４４】
次に、各液晶層について簡単に説明する。各液晶層は、例えば、コレステリック液晶分子を用いて形成される。なお、以下では、各液晶層がコレステリック液晶分子を用いて形成される例を用いて説明するが、本発明はこれに限定されるものではなく、例えば、ネマティック液晶分子を用いても良く、任意の液晶分子を用いて良い。
【００４５】
各液晶層は、周辺部の厚さが中心部の厚さよりも厚い。より詳細には、液晶層は、表示領域２１１に対応する部分の厚みと比較して、非表示領域２１２に対応する部分の厚みが大きい。例えば、各液晶層は、樹脂構造体２５１よりも厚い周辺シール剤２５２を有することで、周辺部の厚さが中心部の厚さよりも厚くなる。図８Ａや図８Ｂを用いて、実施例２における液晶層の厚さについて説明する。図８Ａと図８Ｂとは、実施例２における液晶層の厚さについて説明する図である。図８Ａや図８Ｂでは、第一の表示素子２１０を例に説明する。なお、図８Ａは、柱状の樹脂構造体２５１を用いた場合を例として示した。また、図８Ｂは、柱状の樹脂構造体２５１と球状樹脂スペーサ２５１ａとを用いた場合を例に示した。
【００４６】
図８Ａや図８Ｂのセルギャップ４０１やセルギャップ４０２は、基板２１３と基板２１４との間の距離を示す。つまり、セルギャップ４０１やセルギャップ４０２は、液晶層２１５の厚さを示す。具体的には、セルギャップ４０１は、表示領域２１１における液晶層２１５の厚さを示し、セルギャップ４０２は、非表示領域２１２における液晶層２１５の厚さを示す。
【００４７】
図８Ａや図８Ｂに示すように、セルギャップ４０２は、セルギャップ４０１よりも大きくなる。ここで、セルギャップ４０１は、樹脂構造体２５１の厚さと同じである。また、セルギャップ４０２は、周辺シール剤２５２の厚さと同じである。また、周辺シール剤２５２として、樹脂構造体２５１よりも厚いものを用いることで、周辺部の厚さを中心部と比較して簡単に厚くすることが可能である。また、樹脂構造体２５１の厚みが周辺シール剤２５２よりも薄い結果、周辺部において、樹脂構造体２５１は、基板２１３と２１４との両方に届かなくなる。つまり、樹脂構造体２５１は、基板２１３と２１４との両方に接着しなくなる結果、周辺部の基板をたわみやすくすることが可能である。
【００４８】
図４の説明に戻る。液晶表示素子２００は、第一の表示素子２１０と第二の表示素子２２０とを接着する接着層２４１と、第二の表示素子２２０と第三の表示素子２３０とを接着する接着層２４２とを有する。つまり、第二の表示素子２２０は、接着層２４１によって接着されることで、第一の表示素子２１０に積層される。また、第三の表示素子２３０は、接着層２４２によって接着されることで、第二の表示素子２２０に積層される。
【００４９】
ここで、第二の表示素子２２０は、基板２２３の一部が基板２１４と接着されることで、第一の表示素子２１０に積層される。また、同様に、第三の表示素子２３０は、基板２３３の一部が基板２２４と接着されることで、第二の表示素子２２０に積層される。
【００５０】
図９を用いて、実施例２における表示素子の積層状態について更に説明する。図９は、実施例２における表示素子の積層状態について説明する図である。図９では、図４と同様に、実施例２に係る液晶表示素子２００の断面構成を示した。図９の「３００」は、接着層がない箇所を示す。また、基板２１４ａ、２２３ａ、２２４ａ、２３３ａは、それぞれ、他の基板と接着された部分の基板を示す。例えば、基板２１４ａは、基板２１４のうち、接着層２４１によって基板２２３と接着された部分を示す。また、基板２１４ｂ、２２３ｂ、２２４ｂ、２３３ｂは、それぞれ、他の基板と接着されなかった部分の基板を示す。例えば、基板２１４ｂは、基板２１４のうち、基板２２３と接着されない部分を示す。なお、図９では、説明の便宜上、図４において示した符号のうち一部について、記載を省略した。
【００５１】
図９に示すように、液晶表示素子２００は、接着層がない箇所３００が表示素子間の一部にある。このため、図９の表示領域２０１に示すように、液晶表示素子２００は、接着層がある箇所においては、表示素子間が接着される。また、図９の非表示領域２０２に示すように、液晶表示素子２００は、接着層がない箇所３００においては、表示素子間が接着されない。
【００５２】
ここで、液晶表示素子２００において非表示領域２０２が占める割合について説明する。以下では、熱膨張係数について説明した後に、液晶層の体積と液晶層を形成する液晶分子の体積との関係について説明する。そして、液晶層の内圧と非表示領域の面積との関係について説明した上で、非表示領域２０２が占める割合について説明する。
【００５３】
熱膨張係数について説明する。一般的に、液晶層の熱膨張係数と基板や樹脂構造体の熱膨張係数とは異なる。例えば、基板や樹脂構造体の熱膨張係数は、５０〜１００ｐｐｍ／℃程度である。また、液晶層の熱膨張係数は、２００〜３００ｐｐｍ／℃程度である。つまり、液晶層の熱膨張係数は、基板や樹脂構造体の熱膨張係数と比較して大きい。
【００５４】
次に、図１０と図１１とを用いて、液晶層の体積と液晶層を形成する液晶分子の体積との関係について説明する。以下では、液晶層を形成する液晶分子の体積を「液晶体積」と記載する。「液晶層の体積」は、２つの基板と周辺シール剤とによって囲まれた空間の体積を示す。図１０は、表示素子を形成する各部の熱膨張係数の一例について説明する図である。図１０に示すように、基板の熱膨張係数が「７０ｐｐｍ／℃」であり、樹脂構造体の熱膨張係数が「１００ｐｐｍ／℃」であり、液晶分子の熱膨張係数が「２４０ｐｐｍ／℃」である場合を例に用いて説明する。また、図１０に示すように、周辺シール剤の熱膨張係数が「８０ｐｐｍ／℃」である場合を例に用いて説明する。
【００５５】
図１１は、液晶体積と液晶層の体積と表示素子の温度との関係について説明する図である。図１１の横軸は、液晶表示素子２００の温度を示す。図１１の横軸に示す例では、横軸の右側に行けば行くほど温度が上がり、図１１の横軸の左側に行けば行くほど温度が下がる場合を示した。図１１の縦軸は、液晶体積を液晶層の体積で除算することで得られる値を示す。図１１の縦軸が「１」である場合には、液晶層の体積と液晶体積とが等しいことを示す。また、図１１の縦軸が「１」より大きい値である場合には、液晶層の体積が液晶体積より大きいことを示す。図１１の縦軸が「１」より小さい値である場合には、液晶層の体積が液晶体積より小さいことを示す。また、図１１の縦軸が「１」より小さければ小さいほど、液晶層の内圧が低くなり、気泡が発生する可能性が高くなる。また、図１１の縦軸が「１」より大きければ大きいほど、液晶層の圧力が高くなり、樹脂構造体がはく離する可能性が高くなる。
【００５６】
つまり、液晶体積は、液晶層の体積と比較して温度当たりの体積の増加量が大きく、図１１に示すように、液晶表示素子２００の温度が上がるに従って、図１１の縦軸の値が増加する。また、同様に、液晶体積は、液晶層の体積と比較して温度当たりの体積の減少量が大きく、図１１に示すように、液晶表示素子２００の温度が下がるに従って、図１１の縦軸の値が減少する。
【００５７】
次に、図１２を用いて、液晶層の内圧と非表示領域の面積との関係について説明する。図１２は、液晶層の内圧と非表示領域の面積との関係について説明する図である。図１２の縦軸は、液晶層の内圧を示す。図１２の横軸は、液晶表示素子２００に占める非表示領域の割合を示し、縦軸に示す内圧を実現する場合における値を示す。また、図１２に示す例では、基板の厚さが「１００μｍ」であり、基板のヤング率が「３ＧＰａ」である場合を例に示した。また、図１２に示す例では、第二の表示素子２２０を例として用いた。具体的には、第一の表示素子２１０と第三の表示素子２３０との間に積層された場合における第二の表示素子２２０の内圧と、積層されていない場合における第二の表示素子２２０の内圧とを示した。なお、図１２に示す例では、第一の表示素子２１０と第三の表示素子２３０との間に積層された場合における第二の表示素子２２０の内圧を「積層時Ｇパネル」と記載し、積層されていない場合における第二の表示素子２２０の内圧を「Ｇパネル」と記載した。
【００５８】
図１２を踏まえた上で、非表示領域２０２が占める割合について説明する。樹脂構造体２５１が、液晶表示素子２００の面積のうち５〜２０％の面積において２つの基板を接着した場合を例に説明する。この場合、２つの基板の接着強度は、「104〜105Ｐａ」程度となる。つまり、樹脂構造体２５１が、液晶表示素子２００の面積のうち５〜２０％の面積において２つの基板を接着する場合には、液晶層の内圧が「104〜105Ｐａ」より大きくならなければ、樹脂構造体２５１のはく離が発生しない。図１２に示す例では、非表示領域の割合が「１〜５％」あれば、液晶層の内圧は「104〜105Ｐａ」より大きくなることはない。より詳細には、非表示領域２０２の割合が「２〜４％」あれば、「104〜105Ｐａ」より大きくなることはない。つまり、非表示領域２０２は、液晶表示素子２００の面積のうち「１〜５％」程度を占めることで、樹脂構造体２５１のはく離を防止することが可能である。なお、非表示領域２０２の割合が５％より大きくても、本考案の効果が損なわれることはなく、「１〜５０％」の範囲で用いることができる。だだし、表示素子としては、非表示領域２０２の割合は少ないことが望ましいことは明白であり、図１２に示す例では、非表示領域２０２の割合は、「２〜４％」とすることが望ましい。
【００５９】
つまり、非表示領域２０２は、表示装置の表示部にはならない。この結果、液晶表示素子２００を表示部として効率よく用いるという観点から見ると、非表示領域２０２の面積は、少ないことが望ましい。また、液晶表示素子２００は、非表示領域２０２がたわむことによって、液晶分子の体積変化による影響を相殺する。この結果、液晶分子の体積変化による影響を相殺するという観点から見ると、非表示領域２０２の面積は、大きいことが望ましい。つまり、非表示領域２０２の割合を好ましくは「１〜５％」とすることで、非表示領域２０２の面積を最小限に抑えつつ、液晶分子の体積変化による影響を相殺することが可能である。
【００６０】
なお、表示素子を複数積層した場合と積層しない場合との内圧の差についても簡単に説明する。基板２２３と基板２２４には、それぞれ、第一の表示素子２１０と第三の表示素子２３０とが積層される。つまり、第二の表示素子２２０にとっての基板は、基板２２３と基板２１３と基板２１４とを合わせたものと、基板２２４と基板２３３と基板２３４とを合わせたものとになる。この結果、積層された場合における液晶層２２５の内圧は、積層されない場合における液晶層２２５の内圧のおよそ３０倍に増加する。
【００６１】
この結果、例えば、図１２の「Ａ」に示すように、液晶層の内圧を「Ａ」にするためには、第二の表示素子２２０が積層されていない場合には、非表示領域２０２の割合は「５％」になる。一方、第二の表示素子２２０が積層された場合には、非表示領域２０２の割合は「１０％」になる。
【００６２】
つまり、表示素子が複数積層されると、単層である場合と比較して内圧が増加する結果、基板がたわみ難くなり、気泡が発生する可能性が高くなる。このような場合であっても、実施例２によれば、非表示領域の基板を他の層と接着しないことで、気泡の発生を防止することが可能である。
【００６３】
［液晶表示素子の製造工程について］
次に、図１３を用いて、実施例２に係る液晶表示素子２００の製造工程について簡単に説明する。図１３は、実施例２に係る液晶表示素子の製造工程について説明するフローチャートである。なお、液晶表示素子２００の製造工程は、以下に説明する製造工程に限定されるものではなく、任意の製造工程を用いて良い。
【００６４】
図１３に示すように、製造装置は、製造を開始すると（ステップＳ１０１肯定）、基板に電極パターンを形成する（ステップＳ１０２）。具体的には、製造装置は、データ電極や走査電極を基板に形成する。例えば、製造装置は、基板２１４と基板２２４と基板２３４とに対して、データ電極を形成し、基板２１３と基板２２３と基板２３３とに対して、走査電極を形成する。例えば、透明電極が予め被覆されたフィルム基板を用いる場合を用いて、更に説明する。製造装置は、フィルム基板を洗浄し、レジストを塗布する。そして、製造装置は、データ電極や走査電極のパターンに基づいて露光や現像、エッチング工程を実行することで、データ電極や走査電極を基板に形成する。つまり、製造装置は、基板に被覆された透明電極のうち、データ電極や走査電極のパターンに対応しない部分を削除する。その後、基板に残った透明電極が、データ電極や走査電極になる。
【００６５】
そして、製造装置は、電極パターンが形成された基板を用いて、表示素子を作成する（ステップＳ１０３）。例えば、製造装置は、配向安定化膜を基板にコーティングする。そして、製造装置は、データ電極が形成された基板と、走査電極が形成された基板とのうち、いずれか一方の基板の端部に対して周辺シール剤２５２を塗布し、他方の基板に対して樹脂構造体２５１を形成する。そして、製造装置は、２つの基板を貼り合わせ、内部に液晶分子を注入する。そして、製造装置は、液晶分子を注入した注入口を封止することで、表示素子を作製する。また、製造装置は、同様にして、第一の表示素子２１０〜第三の表示素子２３０を作製する。
【００６６】
そして、製造装置は、作製した表示素子を積層することで、液晶表示素子２００を作製する（ステップＳ１０４）。つまり、製造装置は、第一の表示素子２１０〜第三の表示素子２３０を積層することで、液晶表示素子２００を作製する。図１４を用いて、表示素子を積層する工程について説明する。図１４は、実施例２に係る液晶表示素子の製造工程のうち、表示素子を積層する工程について説明する図である。
【００６７】
図１４の（１）に示すように、製造装置は、各表示素子に対して、フレキシブルケーブルを接続する。なお、各表示装置に対して接続するケーブルはフレキシブルケーブルに限定されるものではなく、任意の接続手段を用いて良い。そして、図１４の（２）に示すように、製造装置は、各表示素子を積層する。ここで、製造装置は、各表示装置を積層する際に、基板の一部に接着層を設けることで、基板の一部については基板間を接着しない。そして、図１４の（３）に示すように、製造装置は、可視光吸収層を表示素子の最下面に形成することで、液晶表示素子２００を作製する。
【００６８】
［実施例２の効果］
上述したように、実施例２によれば、各液晶層は、周辺部の厚さが中心部の厚さよりも厚いので、周辺部において樹脂構造体２５１が２つの基板に同時に接着しなくなる結果、周辺部の基板をたわみやすくすることが可能である。
【００６９】
また、実施例２によれば、各液晶層は、２つの基板間の間隔を一定に維持する複数の樹脂構造体２５１を有する。また、各液晶層の周辺部における樹脂構造体２５１の密度は、中心部における樹脂構造体２５１の密度よりも低い。この結果、周辺部の基板をたわみやすくすることが可能である。
【００７０】
つまり、樹脂構造体２５１は、２つの基板の両方に接着する。２つの基板は、樹脂構造体２５１の数が多ければ多いほど、より多くの箇所にて接着し、樹脂構造体２５１の数が少なければ少ないほど、より少ない箇所にて接着する。この結果、樹脂構造体２５１の数が少なければ少ないほど、２つの基板を接着した部分が少なくなり、基板はたわみやすくなる。つまり、実施例２によれば、非表示領域２１２の液晶層２１５は、表示領域２１１の液晶層２１５と比較して少ない樹脂構造体２５１を有するので、表示領域２１１の基板と比較して、非表示領域２１２の基板をたわみやすくすることが可能である。
【００７１】
また、実施例２によれば、他の表示素子と接着される基板は、基板の総面積のうち１〜５％が接着されていないので、接着されない箇所を最小限に抑えつつ、低温時の気泡発生や高温時の樹脂構造体のはく離を防止することが可能である。
【実施例３】
【００７２】
さて、これまで本発明の実施例について説明したが、本発明は上記した実施例以外にも、その他の実施例にて実施されても良い。そこで、以下では、その他の実施例について説明する。
【００７３】
［樹脂構造体のはく離や気泡発生確認］
種々の表示素子を実際に作成し、低温時の気泡発生や高温時の樹脂構造体のはく離や気泡の発生を防止することが可能であるかについて実際に確認した。以下に、実際に作成した液晶表示素子Ａ〜液晶表示素子Ｇについて説明する。
【００７４】
液晶表示素子Ａ〜液晶表示素子Ｇは、３つの表示素子が積層される（図４参照）。液晶表示素子Ａについて説明する。液晶表示素子Ａでは、基板は、厚さ１００μｍのポリカーボネートである。電極は、ＩＴＯを用いて形成した。また、表示エリアの画素ピッチは１６０μｍであり、画素数は１０２４×７６８、セルギャップは５μｍである。非表示領域の割合は３％であり、周辺シール部の厚さは１０μｍである。樹脂構造体は、アクリル系感光性樹脂からなる柱状のものであり、直径５μｍの球状樹脂ビーズを併用した。樹脂構造体は、表示領域の全面積のうち約１５％において２つの基板を接着する。樹脂構造体は、非表示領域には設けなかった。非表示領域の基板は、接着されていない。
【００７５】
液晶表示素子Ｂは、非表示領域に樹脂構造体を有する。具体的には、樹脂構造体は、非表示領域の全面積のうち０．５％において２つの基板を接着した。液晶表示素子Ｂは、その他については、液晶表示素子Ａと同様である。
【００７６】
液晶表示素子Ｃでは、基板は、厚さが１８０μｍである。また、非表示領域の割合は５％である。液晶表示素子Ｃは、その他については、液晶表示素子Ａと同様である。
【００７７】
液晶表示素子Ｄでは、表示領域の基板だけでなく、非表示領域の基板も接着した。液晶表示素子Ｄは、その他については、液晶表示素子Ａと同様である。液晶表示素子Ｅでは、非表示領域の割合は０．５％である。液晶表示素子Ｅは、その他については、液晶表示素子Ａと同様である。
【００７８】
液晶表示素子Ｆでは、周辺シール部の厚さは、５μｍである。液晶表示素子Ｆは、その他については、液晶表示素子Ａと同様である。液晶表示素子Ｇは、非表示領域に樹脂構造体を有する。具体的には、液晶表示素子Ｇの樹脂構造体は、非表示領域の全面積のうち１５％において２つの基板を接着した。
【００７９】
このような液晶表示素子Ａ〜Ｇに対して、液晶表示素子の温度を「８０℃」から「−１０℃」へと変化させる温度サイクルを１００回繰り返した。この結果、液晶表示素子ＡからＣについては、樹脂構造体がはく離せず、気泡も発生しなかった。一方、液晶表示素子Ｄ〜Ｇについては、樹脂構造体のはく離や気泡の発生が起こった。
【００８０】
［積層状態］
また、例えば、上述した実施例では、表示領域が重なった状態で積層され、また、非表示領域が重なった状態で積層される場合について説明したが、本発明はこれに限定されるものではない。図１５〜図１７を用いて、表示素子の積層状態のバリエーションの一例について説明する。図１５〜図１７は、実施例３における表示素子の積層関係の一例についてについて説明する図である。図１５と図１７では、図４と同様に、液晶表示素子の断面構造の一例について示した。また、図１６では、上方から見た場合における液晶表示素子の一例を示した。また、図１５〜図１７において、２００ａ及び２００ｂは液晶表示素子を示す。また、図１５〜図１７において、２４１ａ、２４１ｂ、２４２ａ及び２４２ｂは接着層を示す。
【００８１】
図１５に示すように、表示素子各々は、表示素子の全面が他の表示素子と重なっていなくても良い。言い換えると、表示素子各々は、他の表示素子の一部と重なっていなくても良い。図１５や図１６に示す例では、第二の表示素子２２０ａは、第一の表示素子２１０ａや第三の表示素子２３０ａの一部と重なっていない。
【００８２】
また、図１７に示すように、すべての表示素子が同じ長さでなくても良い。図１７に示す例では、第二の表示素子２２０ｂは、第一の表示素子２１０ｂや第三の表示素子２３０ｂよりも長い。また、図１７に示すように、他の基板と接着しない部分をすべての表示素子に設けなくても良い。図１７に示す例では、第二の表示素子２２０ｂは、他の基板と接着しない部分を有する。一方、第一の表示素子２１０ｂや第三の表示素子２３０ｂは、他の基板と接着しない部分を有さない。
【００８３】
また、図１７では、第二の表示素子２２０ｂについて、他の基板と接着しない部分を設ける場合を例に示した。つまり、他の表示素子と比較して内圧が高くなることが予想される層について設ける場合を例に示した。しかしながら、本発明はこれに限定されるものではない。例えば、第一の表示素子２１０ｂに他の基板と接着しない部分を設けても良く、任意に設定して良い。
【００８４】
［液晶モジュール］
また、例えば、上述した実施例では、液晶表示素子について説明したが、本発明はこれに限定されるものではない。例えば、液晶表示素子と、液晶表示素子を制御する制御回路とを有する装置である液晶モジュールであっても良い。なお、制御回路は、液晶表示素子の電極各々に送る電気信号を制御することで、液晶層にある液晶分子の配向状態を制御する。
【００８５】
［非表示領域］
また、例えば、上述した実施例では、液晶表示素子に非表示領域を設ける場合を例に説明したが、本発明はこれに限定されるものではない。例えば、液晶表示素子は、文字や画像、映像情報を全面にて表示しても良い。この場合、液晶表示素子は、接着部分に対応する領域であるか非接着部分に対応する領域であるかを問わず、全面にて文字や画像、映像情報を表示する。
【符号の説明】
【００８６】
１００                          液晶表示素子
１１０                          第一の層
１１１、１１２                  基板
１１３                          液晶層
１２０                          第二の層
１２１、１２２                  基板
１２３                          液晶層
２００                          液晶表示素子
２０１、２１１、２２１、２３１  表示領域
２０２、２１２、２２２、２３２  非表示領域
２１０                          第一の表示素子
２１３、２１４                  基板
２１５                          液晶層
２２０                          第二の表示素子
２２３、２２４                  基板
２２５                          液晶層
２３０                          第三の表示素子
２３３、２３４                  基板
２３５                          液晶層
２４１、２４２                  接着層
２５１                          樹脂構造体
２５２                          周辺シール剤
４０１、４０２                  セルギャップ
【図１】
2011128353.tif 000003
【図２】
2011128353.tif 000004
【図３Ａ】
2011128353.tif 000005
【図３Ｂ】
2011128353.tif 000006
【図３Ｃ】
2011128353.tif 000007
【図３Ｄ】
2011128353.tif 000008
【図４】
2011128353.tif 000009
【図５】
2011128353.tif 000010
【図６】
2011128353.tif 000011
【図７】
2011128353.tif 000012
【図８Ａ】
2011128353.tif 000013
【図８Ｂ】
2011128353.tif 000014
【図９】
2011128353.tif 000015
【図１０】
2011128353.tif 000016
【図１１】
2011128353.tif 000017
【図１２】
2011128353.tif 000018
【図１３】
2011128353.tif 000019
【図１４】
2011128353.tif 000020
【図１５】
2011128353.tif 000021
【図１６】
2011128353.tif 000022
【図１７】
2011128353.tif 000023